(57)【要約】【課題】  貸出物が格納されている格納部を利用者が簡単に見つけることができるようにする。【解決手段】  棚２において貸出物である図書３が格納される格納部２ａ毎に、発光することにより格納部２ａを報知する報知器１１を備える。検索端末４に対する利用者の操作に基づいて格納位置案内対象とする図書を指定し、この図書３の格納位置情報をサーバ１ｄから取得して棚情報を表示器２１に表示し、利用者によって第１アンテナ１３ａに載置された非接触ＩＣカードから利用者番号を読み出し、読み出した利用者番号と取得した格納位置情報とを対応付けして記憶する。その後、利用者により棚２に設けられた第２アンテナ１３ｂに非接触ＩＣカードが近づけられ、第２アンテナ１３ｂによって非接触ＩＣカードから利用者番号を読み出したならば、当該利用者番号に対応付けられた格納位置情報によって特定される格納部２ａに対応する報知器１１を発光させる。【選択図】    図１
2006027768.tif 000002
【特許請求の範囲】
【請求項１】
表示器と、貸出物を特定する貸出物情報を指定するための入力装置と、非接触ＩＣカードと無線通信を行うための第１アンテナとが設けられた入出力装置と、
前記貸出物を格納する格納部を有する複数の棚と、前記貸出物が格納される前記格納部を発光によって報知する報知器と、個々の前記棚に対応する位置に配置され前記非接触ＩＣカードと無線通信を行うための複数の第２アンテナとが設けられた格納装置と、
前記貸出物情報に、この貸出物情報によって特定される前記貸出物の前記格納部とこの格納部を有する前記棚とを特定する格納位置情報を対応付けて記憶する記憶部と、
前記入力装置によって指定された貸出物情報に基づいて前記記憶部から前記格納位置情報を取得する取得手段と、
取得した前記格納位置情報に含まれる前記棚を特定する棚情報を前記表示器に表示する表示手段と、
前記第１アンテナを用いて前記非接触ＩＣカードから取得した利用者情報を、前記取得手段によって取得した前記格納位置情報に対応付けて記憶する記憶手段と、
前記第２アンテナを用いて前記非接触ＩＣカードから取得した利用者情報に対応付けて記憶されている前記格納位置情報により特定される前記格納部を、前記報知器によって報知する報知手段と、
を備えている格納位置案内システム。
【請求項２】
表示器と、貸出物を特定する貸出物情報を指定するための入力装置と、非接触ＩＣカードと無線通信を行うための第１アンテナとが設けられた入出力装置と、
前記貸出物を格納する格納部を有する複数の棚と、前記貸出物が格納される前記格納部を発光によって報知する報知器と、個々の前記棚に対応する位置に配置され前記非接触ＩＣカードと無線通信を行うための複数の第２アンテナとが設けられた格納装置と、
前記貸出物情報に、この貸出物情報によって特定される前記貸出物の前記格納部とこの格納部を有する前記棚とを特定する格納位置情報を対応付けて記憶する記憶部と、
前記入力装置によって指定された貸出物情報に基づいて前記記憶部から前記格納位置情報を取得する取得手段と、
取得した前記格納位置情報に含まれる前記棚を特定する棚情報を前記表示器に表示する表示手段と、
前記取得手段によって取得した前記格納位置情報を前記第１アンテナを用いて当該非接触ＩＣカードに書き込む書き込み手段と、
前記第２アンテナを用いて前記非接触ＩＣカードから取得した前記格納位置情報により特定される前記格納部を前記報知器によって報知する報知手段と、
を備えている格納位置案内システム。
【請求項３】
前記報知手段は、取得した格納位置情報に含まれる棚情報によって特定される前記棚に対応する前記第２アンテナを用いて無線通信が実行されたことを条件に、前記格納部を前記報知器によって報知する請求項１又は２記載の格納位置案内システム。
【請求項４】
前記報知手段は、前記報知器による報知を規定時間だけ行う請求項１,２又は３記載の格納位置案内システム。
【発明の詳細な説明】
【技術分野】
【０００１】
本発明は、図書館等で使用される格納位置案内システムに関する。
【背景技術】
【０００２】
近年、図書館では、貸出物である図書を検索可能な検索システムを構築し、検索システムの検索端末を利用者が可能な状態で設置することにより、利用者に対して図書の検索サービスを提供するようになってきている。
【０００３】
検索システムでは、検索端末で入力された検索項目や図書名に該当する図書が当該図書館にあるかを検索し、ある場合にはその図書の格納位置（格納場所）を検索端末の表示器に表示して、利用者に提供する。
【０００４】
【特許文献１】特開２００１−１６３４１７公報
【発明の開示】
【発明が解決しようとする課題】
【０００５】
利用者は、検索した結果、所望の図書が当該図書館に有る場合には、検索端末によって提供された図書の格納位置へ移動して、図書を入手する。しかしながら、この場合、利用者は、図書が格納されている棚の位置は図書館内の案内を参照することで分かるが、棚の中で図書が格納されている格納部（格納場所）は例えば数字や文字の組み合わせで表現されているので、その格納部を見つけることが難しいという問題がある。
【０００６】
特許文献１には、図書館においてＲＦＩＤ技術を用いて図書類の点検作業での作業者の労力を軽減する技術が記載されているが、これまで述べた本発明が解決しようとする問題を解決するものではない。
【０００７】
本発明の目的は、貸出物が格納されている格納部を利用者が簡単に見つけることができるようにすることである。
【課題を解決するための手段】
【０００８】
本発明は、表示器と、貸出物を特定する貸出物情報を指定するための入力装置と、非接触ＩＣカードと無線通信を行うための第１アンテナとが設けられた入出力装置と、前記貸出物を格納する格納部を有する複数の棚と、前記貸出物が格納される格納部を発光によって報知する報知器と、個々の前記棚に対応する位置に配置され前記非接触ＩＣカードと無線通信を行うための複数の第２アンテナとが設けられた格納装置と、前記貸出物情報に、この貸出物情報によって特定される前記貸出物の前記格納部とこの格納部を有する前記棚とを特定する格納位置情報を対応付けて記憶する記憶部と、前記入力装置によって指定された貸出物情報に基づいて前記記憶部から前記格納位置情報を取得する取得手段と、取得した前記格納位置情報に含まれる前記棚を特定する棚情報を前記表示器に表示する表示手段と、前記第１アンテナを用いて前記非接触ＩＣカードから取得した利用者情報を、前記取得手段によって取得した前記格納位置情報に対応付けて記憶する記憶手段と、前記第２アンテナを用いて前記非接触ＩＣカードから取得した利用者情報に対応付けて記憶されている前記格納位置情報により特定される前記格納部を、前記報知器によって報知する報知手段と、を備えている。
【０００９】
本発明は、表示器と、貸出物を特定する貸出物情報を指定するための入力装置と、非接触ＩＣカードと無線通信を行うための第１アンテナとが設けられた入出力装置と、前記貸出物を格納する格納部を有する複数の棚と、前記貸出物が格納される前記格納部を発光によって報知する報知器と、個々の前記棚に対応する位置に配置され前記非接触ＩＣカードと無線通信を行うための複数の第２アンテナとが設けられた格納装置と、前記貸出物情報に、この貸出物情報によって特定される前記貸出物の前記格納部とこの格納部を有する前記棚とを特定する格納位置情報を対応付けて記憶する記憶部と、前記入力装置によって指定された貸出物情報に基づいて前記記憶部から前記格納位置情報を取得する取得手段と、取得した前記格納位置情報に含まれる前記棚を特定する棚情報を前記表示器に表示する表示手段と、前記取得手段によって取得した前記格納位置情報を前記第１アンテナを用いて当該非接触ＩＣカードに書き込む書き込み手段と、前記第２アンテナを用いて前記非接触ＩＣカードから取得した前記格納位置情報により特定される前記格納部を前記報知器によって報知する報知手段と、を備えている。
【発明の効果】
【００１０】
本発明によれば、貸出物が格納されている格納部を利用者が簡単に見つけることができるようになる。
【発明を実施するための最良の形態】
【００１１】
本発明の第１の実施の形態を図１ないし図７に基づいて説明する。本実施の形態は、図書館で使用される格納位置案内システムへの適用例を示す。本実施の形態の図書館では、利用者を識別する利用者情報である利用者番号を記憶した非接触ＩＣカード１０１（図６参照）を利用者に発行している。
【００１２】
図１は本実施の形態の格納位置案内システム１のシステム構成を示す概略図である。格納位置案内システム１は、入出力装置１ａ、格納装置１ｂ、ＲＦ（Radio Frequency）リーダライタ１ｃ、サーバ１ｄなどから構成されている。詳細は後述するが、ＲＦリーダライタ１ｃは、入出力装置１ａを構成する第１アンテナ１３ａと格納装置１ｂを構成する第２アンテナ１３ｂとを有し、利用者が所持する非接触ＩＣカード１０１との無線通信を実行するものであり、この格納位置案内システム１は、概略的には、このようなＲＦＩＤ（Radio Frequency Identification）の技術を用いて、非接触ＩＣカード１０１との間で通信を実行し、利用者が所望する図書３の格納位置である格納部２ａを案内するシステムである。ここで、図書館内には、第１の設置領域Ａと第２の設置領域Ｂとが設定され、入出力装置１ａは、第１の設置領域Ａに配置され、格納装置１ｂは、第２の設置領域Ｂに配置されている。
【００１３】
［格納装置１ｂ］
格納装置１ｂは、複数の棚２を備えている。これらの棚２には、貸出物である図書３を取り出し自在に格納する格納部２ａが複数設けられている。詳しくは、棚２は、複数の横板２ｂによって複数段に仕切られており、これらの横板２ｂに沿って、図書３を格納する格納部２ａが各段毎に複数個設けられている。棚２において各図書３が格納される格納部２ａ（格納位置）は、予め定められている。なお、格納部２ａは、図書３毎に定められていても良いし、グループ単位で定められていてもよい。グループとしては、例えば、機械工学、電気工学などである。図書３の格納部２ａがグループ単位で設定されている場合には、その格納部２ａ内であればどこにでも図書３を格納してよい。ここで、本実施の形態では、棚２を特定する棚情報（例えば、工学棚など）と、棚２に設けられた格納部２ａを特定する格納部情報（例えば、番号）との階層構造により格納位置情報が構成され、この格納位置情報によって図書が格納される格納部２ａが特定できるようになっている。
【００１４】
棚２には、図書３の格納部２ａ毎に格納部２ａに対応させて通電により発光する報知器１１が設けられている。これらの報知器１１は、図書３が載置される横板２ｂの正面に設けられている。即ち、報知器１１は、図書３の格納部２ａの下側に配置されている。これらの報知器１１としては、電球やＬＥＤ（Light Emitting Diode）などを例示することができる。さらに、各棚２の側板２ｃには、第２アンテナ１３ｂが設けられている。これらの第２アンテナ１３ｂは、ＲＦリーダライタ１ｃを構成するアンテナであり、無線通信での読み出し領域は、側板２ｃの外側とされている。即ち、読み出し領域が棚２の格納部２ａに入らない位置に第２アンテナ１３ｂは設置されている。
【００１５】
［入出力装置１ａ］
入出力装置１ａは、入力装置である検索端末４、ＲＦリーダライタ１ｃの第１アンテナ１３ａなどにより構成されている。この入出力装置１ａは、第１の設置領域Ａに設置された検索机２３に載置されている。
【００１６】
検索端末４は、タッチパネル２０が表面に設けられた表示器２１、キーボード２２などが設けられている。
【００１７】
タッチパネル２０及び表示器２１は、表示器２１に表示されるキーイメージ等とタッチパネル２０の座標との位置関係の同期をとることによって、キーボードと同様の入力装置としての機能を奏して、操作者の操作を受け付ける。
【００１８】
図２は検索端末４が備える各部の電気的接続を示すブロック図である。検索端末４には、マイクロコンピュータ（以下、マイコンという）３０が備えられている。このマイコン３０は、各部の駆動制御や各種演算を行なうＣＰＵ（Central Processing Unit）３１に、バスライン３２を介して、起動プログラム等の固定的データを予め記憶するＲＯＭ（Read Only Memory）３３、各種データを書き換え自在に記憶するワークエリア等として機能するＲＡＭ（Random Access Memory）３４、日時を計時するタイマ３５とが接続されて構成されている。また、検索端末４には、例えばケーブルを介してサーバ１ｄとの間でデータ通信を実行するための通信インタフェース３６、この通信インタフェース３６は、バスライン３２を介してマイコン３０に接続されている。
【００１９】
また、マイコン１０には、バスライン３２及びＩ／Ｏ機器制御部３８を介して、前述したタッチパネル２０、表示器２１、キーボード２２が接続されている。さらに、マイコン１０には、バスライン３２を介してＨＤＤ（Hard Disk Drive）３９が接続されている。ＨＤＤ３９には、マイコン３０を動作させるコンピュータプログラムの他に検索結果ファイルＦ１が記憶されている。検索結果ファイルＦ１は、後述する格納位置案内処理において用いられるファイルであり、図３に示すように、利用者番号に図書３の格納位置情報を対応付けて記憶するファイル構造を有する。
【００２０】
このＨＤＤ３９に記憶されたコンピュータプログラム等は、検索端末４の起動時にＲＡＭ３４にコピーされ、これによってマイコン３０による各部の駆動制御及び各種演算が可能な状態となる。
【００２１】
また、この検索端末４とは別体で設けられた格納装置１ｂの報知器１１も、バスライン３２及びＩ／Ｏ機器制御部３８を介してマイコン３０に接続され、マイコン３０によって発光／消灯を駆動制御される。
【００２２】
［ＲＦリーダライタ１ｃ］
図４はＲＦリーダライタ１ｃが備える各部の電気的接続を示すブロック図である。ＲＦリーダライタ１ｃは、マイコン５０が備えられている。このマイコン５０は、ＣＰＵ５１に、バスライン５２を介して、ＲＯＭ５３とＲＡＭ５４とが接続されて構成されている。また、ＲＦリーダライタ１ｃには、検索端末４が接続されて検索端末４との間でデータ通信を実行するための通信インタフェース５５がバスライン５２を介してマイコン５０に接続されている。
【００２３】
また、ＲＦリーダライタ１ｃには、前述した第１アンテナ１３ａと複数の第２アンテナ１３ｂとが設けられており、これらの第１及び第２アンテナ１３ａ,１３ｂは、無線制御部５７及びバスライン５２を介してマイコン５０に接続されている。ＲＦリーダライタ１ｃでは、第１アンテナ１３ａや第２アンテナ１３ｂから電磁波を放射して非接触ＩＣカード１０１に対して無線による情報の読み書き動作を実行する。
【００２４】
［サーバ１ｄ］
図５はサーバ１ｄが備える各部の電気的接続を示すブロック図である。サーバ１ｄには、マイコン９０が備えられている。このマイコン９０は、ＣＰＵ９１に、バスライン９２を介して、ＲＯＭ９３とＲＡＭ９４とが接続されて構成されている。また、サーバ１ｄには、例えばケーブルを介して検索端末４との間でデータ通信を実行するための通信インタフェース９５が設けられており、この通信インタフェース９５は、バスライン９２を介してマイコン９０に接続されている。また、マイコン９０には、バスライン９２やＩ／Ｏ機器制御部９７を介して、キーボード９８、表示器９９、記憶部であるＨＤＤ１００が接続されている。
【００２５】
ＨＤＤ１００には、マイコン９０を動作させるコンピュータプログラムの他、貸出物管理ファイルＦ２が記憶されている。貸出物管理ファイルＦ２には、図書３毎に、図書３を識別する図書識別情報である図書番号、図書名、当該図書の格納位置情報、貸出状況などの図書情報が記憶されている。このＨＤＤ１００に記憶されたコンピュータプログラム等は、サーバ１ｄの起動時にＲＡＭ９４にコピーされ、これによってマイコン９０による各部の駆動制御及び各種演算が可能な状態となる。
【００２６】
［非接触ＩＣカード１０１］
図６は非接触ＩＣカード１０１を概略的に示すブロック図である。非接触ＩＣカード１０１は、ＣＰＵ１０２やメモリ部１０３から構成されるＩＣチップ１０４とアンテナ１０５とを備え、ＲＦリーダライタ１ｃに対して無線でデータ通信可能に構成されている。メモリ部１０３は、ＥＥＰＲＯＭ（Electrically Erasable Programmable Read Only Memory）などの不揮発性メモリなどから構成され、利用者番号が記憶されている。なお、利用者番号は、非接触ＩＣカード１０１に割り当てられた非接触ＩＣカード１０１のＩＤ番号をそのまま用いても良い。非接触ＩＣカード１０１は、ＲＦリーダライタ１ｃから電磁波によって供給される電力によって駆動する無電源型である。これらの非接触ＩＣカード１０１とＲＦリーダライタ１ｃとの間の通信方式は、静電結合方式、電磁結合方式、電磁誘導方式、マイクロ波方式等の各種方式を採用可能である。
【００２７】
［処理］
次に、各ＣＰＵ３１，５１，９１がコンピュータプログラムに従って実行する格納位置案内処理を格納位置案内システム１の利用方法とともに説明する。ここで、図７は格納位置案内処理の流れを示すフローチャートである。
【００２８】
まず、検索端末４では、利用者番号の入力を促す図示しない初期画面を表示器２１に表示させる（ステップＳ１ａ）。この初期画面には、例えば「非接触ＩＣカード１０１を検索机２３上の第１アンテナ１３ａの上に置いてください」などのメッセージが表示される。図書３の格納部２ａを検索する利用者は、初期画面に従って、非接触ＩＣカード１０１を第１アンテナ１３ａの上に置く。
【００２９】
ＲＦリーダライタ１ｃは、第１アンテナ１３ａの上に非接触ＩＣカード１０１が載置されることにより非接触ＩＣカード１０１に記憶されている情報（本実施の形態では利用者番号）を読み出したならば（ステップＳ２ａのＹ）、当該アンテナ（ここでは第１アンテナ１３ａ）を識別するアンテナ識別情報と、読み出した利用者番号とを検索端末４に送信する（ステップＳ２ｂ）。
【００３０】
検索端末４では、ＲＦリーダライタ１ｃから利用者番号とアンテナ識別情報とを受信した場合には（ステップＳ１ｂのＹ）、アンテナ識別情報が第１アンテナ１３ａを示すものか否かを判定する（ステップＳ１ｃ）。ここでの説明は、アンテナ識別情報が第１アンテナ１３ａの場合であるから（ステップＳ１ｃのＹ）、ステップＳ１ｄに進み検索処理を実行する。
【００３１】
ステップＳ１ｄにおける検索処理は、この処理に伴ってサーバ１ｄがステップＳ３ａで実行する検索処理とともに、図書を検索する処理である。これらの処理は、周知の検索処理と略同様であるので簡単に説明する。まず、検索端末４においては、検索項目である図書名や著者名などの一部または全部を利用者がキーボード２２やタッチパネル２０を用いて入力する入力画面を表示器２１に表示させる。入力画面に検索項目が入力されたならば、入力された検索項目による図書検索をサーバ１ｄに依頼する。サーバ１ｄでは、依頼に応じてその検索項目に該当する全ての図書３の図書番号、名称、著者名などの図書情報を検索端末４に送信する。この検索結果を受信した検索端末４は、受信した検索結果を一覧表示で表示器２１に表示させる。一覧表示される図書情報には図書番号が対応付けされている。そして、利用者の操作によりキーボード２２やタッチパネル２０により一覧表示されている図書情報の内で一つの図書情報が指定されたならば、つまり、図書番号が指定されたならば、指定された図書番号によって特定される図書３を格納位置案内対象の図書３であると特定し、当該図書番号によって特定される図書３の格納位置情報や貸出状況などの詳細情報をサーバ１ｄに問い合わせる。この問い合わせを受けたサーバ１ｄでは、問い合わせに応じて、貸出物管理ファイルＦ２から当該図書番号によって特定される図書３の格納位置情報、貸し出し状況などの詳細状況を検索して、検索端末４に送信する。検索端末４では、送信された格納位置情報、貸出状況などの詳細情報を受信してＲＡＭ３４に記憶する。これにより、格納位置情報が取得される。ここに、取得手段の機能が実行される。そして、検索端末４では、当該図書３の格納位置情報、貸出状況などの詳細情報を表示器２１に表示させる（表示手段）。このとき、格納位置情報として少なくとも棚２の棚情報（名称）を表示させる。
【００３２】
次に、ステップＳ１ｄで取得した格納位置案内対象の図書３の格納位置情報を当該図書３の図書番号に対応付けして検索結果ファイルＦ１に記憶させる（ステップＳ１ｅ）。ここに、記憶手段の機能が実行される。
【００３３】
次に、利用者は、表示器２１に表示された図書３の棚２に移動し、当該棚２に設けられている第２アンテナ１３ｂに非接触ＩＣカード１０１を近づける。
【００３４】
ＲＦリーダライタ１ｃは、第２アンテナ１３ｂに非接触ＩＣカード１０１が近づけられることにより非接触ＩＣカード１０１に記憶されている利用者番号を読み出したならば（ステップＳ２ａのＹ）、当該アンテナ（ここでは第２アンテナ１３ｂ）を識別するアンテナ識別情報と、読み出した利用者番号とを検索端末４に送信する（ステップＳ２ｂ）。
【００３５】
検索端末４では、ＲＦリーダライタ１ｃから利用者番号とアンテナ識別情報とを受信したならば（ステップＳ１ａのＹ）、ここでの説明は、アンテナ識別情報が第１アンテナ１３ａではなく第２アンテナ１３ｂの場合であるから（ステップＳ１ｃのＮ）、ステップＳ１ｆに進み、報知処理を実行する。報知処理では、検索結果ファイルＦ１において、ステップＳ１ｂで受信した利用者番号に対応付けされている格納位置情報を検索して取得する。そして、ステップＳ２ａで無線通信を実行したＲＦリーダライタ１ｃの第２アンテナ１３ｂが、当該ステップで取得した格納位置情報に含まれる棚情報によって特定される棚２に設けられた第２アンテナ１３ｂである場合、当該格納位置情報によって特定される格納部２ａに対応する報知器１１を発光させる。これにより、格納部２ａが報知される。このときの発光時間は予め定められており、発光時間が規定時間に達した場合、報知器１１を消灯する。一方、ステップＳ２ａで無線通信を実行した第２アンテナ１３ｂが、当該ステップで取得した格納位置情報に含まれる棚情報によって特定される棚２に設けられた第２アンテナ１３ｂでない場合には、報知器１１を発光させない。ここに、報知手段の機能が実行される。
【００３６】
このように本実施の形態では、利用者が指定した図書３の格納部２ａに対応する報知器１１を発光して図書３の格納部２ａを利用者に報知して図書３の格納部２ａを案内するので、利用者は、図書３の格納部２ａを簡単に見つけることができる。
【００３７】
また、本実施の形態においては、報知手段は、取得した格納位置情報に含まれる棚情報によって特定される棚２に対応する第２アンテナ１３ｂを用いて無線通信が実行されたことを条件に、格納部２ａを報知器である報知器１１によって報知するので、例えば利用者が表示器２１での表示によって案内された棚２とは違う棚２に設けられた第２アンテナ１３ｂに非接触ＩＣカード１０１を近づけた場合でも報知器１１を発光させてしまうと、他の利用者が混乱するおそれがあるが、本実施の形態では、そのようなことが発生するのを防止することができる。
【００３８】
また、本実施の形態においては、報知手段は、報知器１１を規定時間だけ発光させることにより、規定時間を適当な時間に設定することにより、利用者による図書３の格納部２ａの発見が終わり、発光が不要となった報知器１１が発光し続けることがないので、格納位置案内処理を続けて連続して行うことができる。
【００３９】
なお、本実施の形態では、第２アンテナ１３ｂを棚２に設けた例を説明したが、これに限るものではない。第２アンテナ１３ｂの設置位置は、第２の設置領域Ｂ内において個々の棚２に対応して設置されていればよく、例えば、棚２の周囲などに棚２とは独立して設けられていてもよい。
【００４０】
また、本実施の形態では、図書３の格納部２ａとこの格納部２ａを有する棚２とを特定する格納位置情報が、棚情報と格納部情報とによる階層構造で設定されている例を説明したが、これに限るものではない。格納位置情報は、全ての棚２の格納部２ａに対して通しで付された通し番号と、この通し番号によって特定される格納部２ａを有する棚２を特定する棚情報とで設定されていてもよい。この場合には、通し番号と棚情報とを貸出物管理ファイルＦ２に記憶させてもよいし、通し番号だけを貸出物管理ファイルＦ２に記憶させて、通し番号と棚情報との関連付けを例えば別のファイルなどに記憶させておいてもよい。
【００４１】
また、本実施の形態においては、図書館で使用される格納位置案内システム１を例に説明したが、これに限るものではない。例えば、格納位置案内システムとしては、貸出物としてＣＤ、ＤＶＤ、ビデオテープなどを扱うレンタル店で使用されるものであってもよい。
【００４２】
次に、本発明の第２の実施の形態を図８に基づいて説明する。なお、前述した実施の形態と同じ部分は同一符号で示し説明も省略する。図８は本実施の形態の格納位置案内処理の流れを示すフローチャートである。
【００４３】
本実施の形態では、第１の実施の形態に対して、格納位置案内処理において、検索結果ファイルＦ１が使用されず、図書３に設けられた非接触ＩＣカード１０１のメモリ部１０３に図書３の格納位置情報が記憶される点などが異なる。よって、ＲＦリーダライタ１ｃがステップＳ２ａで読み出す情報は、非接触ＩＣカード１０１に利用者番号とともに図書３の格納位置情報が記憶されている場合には、利用者番号及び格納位置情報となる。そして、格納位置情報が読み出された場合には、この格納位置情報もＲＦリーダライタ１ｃから検索端末４へ送信される（ステップＳ２ｂ）。
【００４４】
そして、検索端末４では、ステップＳ１ａ〜Ｓ１ｄまでの処理を第１の実施の形態と同様に実行した後、ステップＳ１ｄで取得した格納位置案内対象の図書３の格納位置情報を第１アンテナ１３ａに載置されている非接触ＩＣカード１０１に書き込む旨の書き込み指令をＲＦリーダライタ１ｃに送信する（ステップＳ１１ｅ）。
【００４５】
ＲＦリーダライタ１ｃでは、検索端末４から書き込み指令を受信したならば（ステップＳ１２ｃのＹ）、書き込み指令に応じて、格納位置案内対象の図書３の格納位置情報を第１アンテナ１３ａに載置されている非接触ＩＣカード１０１に書き込む（ステップＳ１２ｄ）。ここに、書き込み手段の機能が実行される。
【００４６】
次に、ＲＦリーダライタ１ｃは、第２アンテナ１３ｂに非接触ＩＣカード１０１が近づけられることにより非接触ＩＣカード１０１に記憶されている利用者番号及び図書３の格納位置情報を読み出したならば（ステップＳ２ａのＹ）、当該アンテナ（ここでは第２アンテナ１３ｂ）を識別するアンテナ識別情報と、読み出した格納位置情報とを検索端末４に送信する（ステップＳ２ｂ）。
【００４７】
検索端末４では、ＲＦリーダライタ１ｃから格納位置情報とアンテナ識別情報とを受信したならば（ステップＳ１ｂのＹ）、ここでの説明は、アンテナ識別情報が第１アンテナ１３ａではなく第２アンテナ１３ｂの場合であるから（ステップＳ１ｃのＮ）、ステップＳ１１ｆに進み、報知処理を実行する。報知処理では、ＲＦリーダライタ１ｃから受信した格納位置情報によって特定される格納部２ａに対応する報知器１１を第１の実施の形態と同じ条件で発光させる。ここに、報知手段の機能が実行される。
【００４８】
このように本実施の形態では、第１の実施の形態と同様に、利用者が指定した図書３の格納部２ａに対応する報知器１１を発光して図書３の格納部２ａを利用者に報知して、図書３の格納部２ａを案内するので、利用者は、図書３の格納部２ａを簡単に見つけることができる。
【００４９】
また、本実施の形態では、図書３の格納部２ａが各図書３に設けられた非接触ＩＣカード１０１に記憶されるので、第１の実施の形態のように検索結果ファイルＦ１を設ける必要がない。
【図面の簡単な説明】
【００５０】
【図１】本発明の第１の実施の形態の格納位置案内システムのシステム構成を示す概略図である。
【図２】検索端末が備える各部の電気的接続を示すブロック図である。
【図３】検索結果ファイルのファイル構造を説明するための説明図である。
【図４】ＲＦリーダライタが備える各部の電気的接続を示すブロック図である。
【図５】サーバが備える各部の電気的接続を示すブロック図である。
【図６】非接触ＩＣカードを概略的に示すブロック図である。
【図７】格納位置案内処理の流れを示すフローチャートである。
【図８】本発明の第２の実施の形態の格納位置案内処理の流れを示すフローチャートである。
【符号の説明】
【００５１】
１…格納位置案内システム、１ａ…入出力装置、１ｂ…格納装置、２…棚、２ａ…格納部、３…図書（貸出物）、４…検索端末（入力装置）、１１…報知器（報知器）、１３ａ…第１アンテナ、１３ｂ…第２アンテナ、２１…表示器、１００…ＨＤＤ（記憶部）、１０１…非接触ＩＣカード
【図１】
2006027768.tif 000003
【図２】
2006027768.tif 000004
【図３】
2006027768.tif 000005
【図４】
2006027768.tif 000006
【図５】
2006027768.tif 000007
【図６】
2006027768.tif 000008
【図７】
2006027768.tif 000009
【図８】
2006027768.tif 000010